(57)【特許請求の範囲】
【請求項１】
便器後方の上面に載置固定される取付ベースと、人体局部を洗浄する人体局部洗浄装置本体と、前記取付ベースと前記人体局部洗浄装置本体とをスライド可能に係止するスライダとからなる人体局部洗浄装置において、前記取付ベースには、左右対称位置に便器の前後方向と略平行に２本のガイド用突条を、該ガイド用突条間の内側である根元長さがガイド用突条間の内側である上端部の長さよりも長くなるように向かい合う斜面にて形成し、前記スライダには、前記ガイド用突条間に挿入し、且つ、スライド可能なスライダ下部と、該スライダ下部から屈曲したスライダ上部とを設け、前記ガイド用突条間の内側である上端部の長さが前記スライダ下部の長さよりも短く、前記取付ベースに設けた２本のガイド用突条間の上端部外側の長さが前記スライダ上部間の長さよりも短い長さ関係であることを特徴とする人体局部洗浄装置。
【発明の詳細な説明】
【０００１】
【発明の属する技術分野】
本発明は、温水により人体局部を洗浄する人体局部洗浄装置、より詳細には、前記人体局部洗浄装置の便器への設置構造に関する。
【０００２】
【従来の技術】
従来、人体局部洗浄装置本体を便器に設置するには、前記人体局部洗浄装置本体を直接便器に固定ボルト及びナットにて固定するか、ねじを使用して固定していたが、近年になり、環境衛生に対する関心が高まってくると、人体局部洗浄装置本体と便器との間に侵入した汚水等の清掃を行いたいとのニーズから、人体局部洗浄装置本体を便器に固定された状態から簡単に移動可能であり、前述した汚水等を清掃できる人体局部洗浄装置が開発された。
【０００３】
人体局部洗浄装置本体が移動可能な人体局部洗浄装置は、図６に示すように、便器１０の後部上面に取付ベース２を固定ボルト８、９を用いて固定し、人体局部洗浄装置本体１と前記取付ベース２とを連結機構（アーム６１、６２、６３、６４）により接続している。連結機構は、図７に示すように、コ字形のアーム６１と６２（６３と６４）との開口部同士を組み合わせ、アーム６１（アーム６３）を人体局部洗浄装置本体１へ連結ピース６５を介して接続し、アーム６２（アーム６４）を取付ベース２へ連結ピース６６を介して接続している。更に、図示していないが、人体局部洗浄装置本体１と取付ベースも、係止手段により係止されており、人体局部洗浄装置本体１を、図６に示すように、便器１０の手前側へスライド移動させる際には、前記係止手段を解除することにより簡単に移動可能となっている。
【０００４】
【発明が解決しようとする課題】
しかしながら、図６及び図７に示す人体局部洗浄装置は、コ字形のアーム６１、６２、６３、６４を組み合わせた形状であるため、高さ方向のスペースを大きく取る必要があり、連結機構部分の厚みが厚くなるとの課題を有している。更に、連結機構部分の厚みを目立たせないようにするために、アーム６１、６２、６３、６４を人体局部洗浄装置本体１の底部に挿入する構造にすると、人体局部洗浄装置本体１の内部部品を配置する際に障害となり、設計の自由度が大きく制約されるとの課題を有する。
【０００５】
また、前記アーム６１、６２、６３、６４の材質は、プラスチック又は金属を使用するが、プラスチックを使用した際には、アームが左右に別れているため強度に難点があり、強度を増すためにアームの肉厚を厚くすると、益々連結機構部分の厚みが厚くなってしまう。アームの材質を金属にする際には、水を使用する機器であるため、防錆処理を施した鉄製又は錆びにくいステンレス製のものを使用するが、どちらも高価であり、製品コストを高くするとの課題がある。
【０００６】
本発明は、前述した課題に鑑みてなされたものであり、連結機構部分の厚みが薄く、人体局部洗浄装置本体の内部部品を配置するための設計自由度も損なうことなく、高価な金属製の部材を使用せずにプラスチック製の部材を使用しても充分な強度を有するスライド移動可能な人体局部洗浄装置を提供することを目的とする。
【０００７】
【課題を解決するための手段】
本発明は、図１に示すように、便器１０（図４参照）後方の上面に載置固定される取付ベース２と、人体局部を洗浄する人体局部洗浄装置本体１と、前記取付ベース２と前記人体局部洗浄装置本体１とをスライド可能に係止するスライダ３とからなる人体局部洗浄装置において、前記取付ベース２には、左右対称位置に便器１０の前後方向と略平行に２本のガイド用突条２３、２４を、該ガイド用突条２３、２４間の内側である根元長さ（Ｌ２１）がガイド用突条２３、２４間の内側である上端部の長さ（Ｌ２２）よりも長くなるように向かい合う斜面にて形成し、前記スライダ３には、前記ガイド用突条２３、２４間に挿入し、且つ、スライド可能なスライダ下部３５、３６と、該スライダ下部３５、３６から屈曲したスライダ上部３３、３４とを設け、前記ガイド用突条２３、２４間の内側である上端部の長さ（Ｌ２２）が前記スライダ下部３５、３６の長さ（Ｌ３１）よりも短く、前記取付ベース２に設けた２本のガイド用突条２３、２４間の上端部外側の長さ（Ｌ２３）が前記スライダ上部３３、３４間の長さ（Ｌ３３）よりも短い長さ関係であることを特徴とする。
【０００８】
【発明の実施の形態】
本発明に用いる取付ベース２に設けたガイド用突条２３、２４は、水平方向に対する傾斜角度を任意に選択でき、好ましくは４５度前後とすることが、人体局部洗浄装置本体１をスライドさせた際の力の分散を取付ベース２とスライダ３とで均等にできるため好ましい。更に、取付ベース２とスライダ３の材質は、高価な金属製のものを使用しても良いが、プラスチック製であっても十分に耐えられる強度を有する。これは、従来左右に分かれた２本のアームにて接続していたものを、幅の広い１枚の板で接続するので、高い強度を持たせることができるためである。また、取付ベース２とスライダ３とは、別々の材質又は肉厚のものを使用しても問題ないが、同じ材質及び肉厚のものを使用する方が、局所的な応力が発生しにくく、好ましい。前述したガイド用突条２３、２４間の内側である根元長さ（Ｌ２１）とスライダ下部３５、３６との長さ（Ｌ３１）及びガイド用突条間の内側である上端部の長さ（Ｌ２２）と（Ｌ３２）との長さの差は、０．１〜２ｍｍ程度が好ましく、０．１よりも短いと抵抗が大きくなり上手くスライドさせることができず、２ｍｍよりも長いとガタつき感が大きくなり使用者に対して不快感を与えてしまう。
【０００９】
【実施例】
以下図面を用いて、本発明の実施例を説明する。図４は本発明の人体局部洗浄装置を便器１０に設置した平面図であり、取付ベース２は、左右に固定ボルト８、９を挿通させる長孔１８、１９を有している。人体局部洗浄装置の設置者は、取付ベース２を便器１０に載置し、図３に示すように、固定ボルト８、９を前記長孔１８、１９及び便器１０に挿通し、固定ボルト８、９下部をナット８１、９１にて固定する。前記長孔１８、１９は、人体局部洗浄装置本体１の基準となる設置位置を長孔１８、１９の範囲内で任意に調整可能としたもので、複数種類の便器に対応設置するために設けられている。
【００１０】
取付ベース２には、前述した長孔１８、１９以外に、図４に示すように、便器の前後方向と略平行に２本のガイド用突条２３、２４が設けられており、該ガイド用突条２３、２４は、図１に示すように、ガイド用突条２３、２４間の内側である根元長さ（Ｌ２１）がガイド用突条間の内側である上端部の長さ（Ｌ２２）よりも長くなるように、向かい合う斜面にて形成されている。更に、取付ベース２には、図４に示すように、ベース突起部２１、２２が左右両側に設けられており、後述する係合部５１、５２と係合して人体局部洗浄装置本体１が不用意にスライドすることを防止している。
【００１１】
人体局部洗浄装置本体１には、図５に示すように、固定ボルト８、９の頭部が人体局部洗浄装置本体１の裏面後部から水平に挿入可能な係入溝１４、１５が設けられ、固定ボルト８、９の頭部を前記係入溝１４、１５に係入することにより、人体局部洗浄装置本体１の滑らかなスライドを達成している。
【００１２】
人体局部洗浄装置本体１の裏面には、図４に示すように、ロックバー５及び解除レバー４が設けられており、前記ロックバー５は、便器１０の左右方向に移動可能で、スプリング２０により左方向に付勢されている。また、ロックバー５は、前述した取付ベース２に設けたベース突起部２１、２２と対向する位置に係合部５１、５２を有し、該係合部５１、５２とベース突起部２１、２２とが係合する。解除レバー４は、人体局部洗浄装置本体１の裏面に立設した軸１３に回動可能に取付けられており、片端４２は、ロックバー５と回動可能な状態で接続し、他端４１は、人手により操作する操作部となっている。そして前記他端４１を移動させると、前記ロックバー５を右方向に付勢し、係合部５１、５２とベース突起部２１、２２との係合の解除を行うことができる。
【００１３】
スライダ３は、人体局部洗浄装置本体１と取付ベース２とを連結する部材であり、前記人体局部洗浄装置本体１及び取付ベース２のそれぞれに対してスライド可能に配置してある。スライダ３は、その形状が概ね凹形をしており、図１に示すように、その左右両端に取付ベース２のガイド用突条２３、２４間に挿入可能なスライダ下部３５、３６と、該スライダ下部３５、３６から屈曲したスライダ上部３３、３４とから形成される。スライダ３と取付ベース２とは、スライダ下部３５、３６の斜面とガイド用突条２３、２４の斜面とで係合しており、ガイド用突条２３、２４間の内側である上端部の長さ（Ｌ２２）が前記スライダ下部３５、３６の長さ（Ｌ３１）よりも短くしている為に、上下方向に脱落することはなく、スライダ３と取付ベース２とが、上下方向では空間を有さずに接触しているため、スライダ３及び取付ベース２の肉厚を厚くしても、連結機構部分全体の厚みはそれほど厚くならない。そして、ガイド用突条２３、２４間の上端部外側の長さ（Ｌ２３）がスライダ上部３３、３４間の長さ（Ｌ３３）よりも短い為に、ガイド用突条２３、２４よりも左右に突出したスライダ上部３３、３４に人体局部洗浄装置本体１を係合させることも可能である。
【００１４】
スライダ３と人体局部洗浄装置本体１との係合は、図５に示すように、スライダ上部３３、３４と人体局部洗浄装置本体１に設けた係入溝１６、１７によりなされ、該係入溝１６、１７の部分は、図１に示すように、係入溝１６、１７間の長さ（Ｌ１３）がスライダ上部３３、３４間の長さ（Ｌ３３）よりも長く、係入溝１６、１７間の内側の長さ（Ｌ１２）がスライダ上部３３、３４間の長さ（Ｌ３３）よりも短くなる長さ関係であり、取付ベース２とスライダ３との関係と同様に、上下方向に脱落することはなく、個々の部材の肉厚を厚くしても、連結部材全体の厚みはそれほど厚くならない。図１に示す取付ベース２と人体局部洗浄装置本体１との間隔（Ｌ１１−Ｌ２４）は、滑らかなスライドを行うために、０．３ｍｍの間隔を設けている。
【００１５】
スライダ３と人体局部洗浄装置本体１との連結部は、図５に示すように、スライダ３に設けた突起部３１、３２と、人体局部洗浄装置本体１に設けた弾性ツメ１１、１２によってなし、該弾性ツメ１１、１２を撓ませることにより、スライド状態から完全に分離した状態へと変化可能となる。スライダ３と取付ベース２との連結部には、スライダ３に一部が弾性体であるストッパ６、７を設け、取付ベース２に設けたガイド用突条２３、２４の途中に引っかける抜け止めを配置し、前記ストッパ６、７の弾性体をたわませることにより、スライド状態から完全に分離した状態へと変化可能となる。
【００１６】
次に、本発明の人体局部洗浄装置の動作説明を行うと、図４に示すように、人体局部洗浄装置本体１が、便器１０に対し手前側にスライドしている状態から、人体局部洗浄装置本体１を便器１０の後方側にスライドさせると、スライダ３は、人体局部洗浄装置本体１の裏面に収納されながら移動する。そして、人体局部洗浄装置本体１の係入溝１４、１５に固定ボルト８、９の頭部が係入され、取付ベース２と人体局部洗浄装置本体１とが係合し始める。更にスライドさせると、人体局部洗浄装置本体１に設置したロックバー５の係合部５１、５２が、取付ベース２に設けたベース突起部２１、２２に当接し、前記ロックバー５を右側へと移動させ、その後、スプリング２０によってロックバー５が左側へと移動し、係合部５１、５２が、取付ベース２に設けたベース突起部２１、２２と係合し、図２に示すように、通常トイレを使用する状態となる。この状態では、スライダ３が人体局部洗浄装置本体１裏面に完全に収納され、図１に示すように、人体局部洗浄装置本体１と、スライダ３と、取付ベース３とが重なった状態となる。
【００１７】
反対に、図２に示す通常トイレを使用する状態から、図４に示す便器１０の清掃状態への移行は、図２に示す解除レバー４の他端４１を便器１０の手前側に引き、ロックバー５を図面上右側に移動させることにより、係合部５１、５２とベース突起部２１、２２との係合状態を解除し、人体局部洗浄装置本体１を便器１０の手前側へ引く。更に、人体局部洗浄装置本体１を便器１０の手前側に引くと、図４に示すように、人体局部洗浄装置本体１は、スライダ３と人体局部洗浄装置本体１との間の突起部３１、３２及びスライダ３と取付ベース２との間のストッパ６、７により抜け止めがなされる箇所までスライドし、停止する。その後は、人体局部洗浄装置本体１によって隠されていた便器１０の上面を清掃可能となる。
【００１８】
【発明の効果】
本発明は、以上説明したように、人体局部洗浄装置本体と取付ベースとを連結するスライダを２分割ではなく１枚の板となした為に、スライダの材質をプラスチックとしても充分な強度が得られ、高価な金属製のスライダを使用する必要がなく、更には、取付ベースに傾斜を有するガイド用突条を設け、該ガイド用突条にスライダを挿入するので、連結機構部分全体の厚みを薄くすることが可能となる。
【図面の簡単な説明】
【図１】本発明の実施例を示す人体局部洗浄装置の要部断面図。
【図２】本発明の人体局部洗浄装置本体を便器に固定した平面図。
【図３】本発明の人体局部洗浄装置本体を便器に固定した部分断面図。
【図４】本発明の人体局部洗浄装置本体を便器に固定し、便器手前方向にスライドさせた平面図。
【図５】本発明の人体局部洗浄装置本体を便器に固定し、便器手前方向にスライドさせた要部平面図。
【図６】従来例を示す人体局部洗浄装置の平面図。
【図７】従来例を示す人体局部洗浄装置のアーム部分を示す断面図。
【符号の説明】
１．人体局部洗浄装置本体  ２．取付ベース  ３．スライダ  ４．解除レバー  ５．ロックバー  ６．ストッパ  ７．ストッパ  ８．固定ボルト  ９．固定ボルト  １０．便器  １１．弾性ツメ  １２．弾性ツメ  １３．軸  １４．係入溝  １５．係入溝  １６．係入溝  １７．係入溝  １８．長孔  １９．長孔  ２０．スプリング  ２１．ベース突起部  ２２．ベース突起部  ２３．ガイド用突条  ２４．ガイド用突条  ３１．突起部  ３２．突起部  ３３．スライダ上部  ３４．スライダ上部  ３５．スライダ下部  ３６．スライダ下部  ４１．他端  ４２．片端  ５１．係合部  ５２．係合部  ６１．アーム  ６２．アーム  ６３．アーム  ６４．アーム  ６５．連結ピース  ６６．連結ピース  ８１．ナット  ９１．ナット
【図１】
0003925758.tif 000002
【図２】
0003925758.tif 000003
【図３】
0003925758.tif 000004
【図４】
0003925758.tif 000005
【図５】
0003925758.tif 000006
【図６】
0003925758.tif 000007
【図７】
0003925758.tif 000008